(57)【要約】【課題】極めて簡易な構成で切断刃の高さ調整を実現し装置のコンパクト化を図ることができ、しかも、開口径が異なる複数種類のマンホールへの設置の際も容易に且つ確実に車輪を設置することができ、安定した作業を行うことができる実用性に優れたマンホール切断装置を提供することを目的とする。【解決手段】運搬用車輪７を設けて移動自在に構成した移動台車８上に、切断機構６を設けた作業基体２を持ち上げ分離自在に固定若しくは位置決め載置してこの作業基体２を走行運搬自在に構成し、切断機構６の切断刃３の高さ位置をスペーサー介在部９に介在するスペーサー10の重合枚数の調整若しくは厚みの異なるスペーサー10の交換によって調整自在とするスペーサー変更式切断刃高さ調整機構を備えたマンホール切断装置。【選択図】図１
2014034798.tif 000002
【特許請求の範囲】
【請求項１】
切断するマンホールに設置する複数の周回用車輪を設けてこのマンホール上で自転する作業基体に、前記マンホールの内側から切り込んでこのマンホールの上部を切断する切断刃とこの切断刃を回転させる回転伝達機構と回転駆動部とから成る切断機構を水平スライド移動自在に設けたマンホール切断装置であって、運搬用車輪を設けて移動自在に構成した移動台車上に、前記切断機構を設けた前記作業基体を、持ち上げ分離自在に固定若しくは位置決め載置してこの作業基体を走行運搬自在に構成し、前記切断機構の切断刃の高さ位置を、スペーサー介在部に介在するスペーサーの重合枚数の調整若しくは厚みの異なるスペーサーの交換によって調整自在とするスペーサー変更式切断刃高さ調整機構を備えたことを特徴とするマンホール切断装置。
【請求項２】
前記切断機構の回転伝達機構の切断刃取付け回転軸の下部の切断刃取付け部に前記スペーサー介在部を設け、このスペーサー介在部に前記スペーサーを着脱自在に設けて、このスペーサー介在部に介在する前記スペーサーの重合枚数若しくは厚みの違いにより、この切断刃取付け部に取り付けた前記切断刃の高さ位置が可変するように前記スペーサー変更式切断刃高さ調整機構を構成したことを特徴とする請求項１記載のマンホール切断装置。
【請求項３】
切断するマンホールに設置する複数の周回用車輪を設けてこのマンホール上で自転する作業基体に、前記マンホールの内側から切り込んでこのマンホールの上部を切断する切断刃とこの切断刃を回転させる回転伝達機構と回転駆動部とから成る切断機構を水平スライド移動自在に設けたマンホール切断装置であって、運搬用車輪を設けて移動自在に構成した移動台車上に、前記切断機構を設けた前記作業基体を、持ち上げ分離自在に固定若しくは位置決め載置してこの作業基体を走行運搬自在に構成し、前記作業基体は、この作業基体中心線上に中心を有する第一仮想円とこの第一仮想円よりも小径で前記中心線に中心を有すると共に前記第一仮想円に内接する第二仮想円との接点に配設した前記周回用車輪と、前記第一仮想円若しくは前記第二仮想円のいずれかの同一円周上に配設した二つの前記周回用車輪との少なくとも三つの前記周回用車輪を設けた構成とし、前記第一仮想円及び前記第二仮想円は、夫々、切断するマンホールの上部開口部の開口径と同径に設定したことを特徴とするマンホール切断装置。
【請求項４】
前記作業基体は、この作業基体の中心線上に中心を有する第一仮想円とこの第一仮想円よりも小径で前記中心線に中心を有すると共に前記第一仮想円に内接する第二仮想円との接点に配設した共通周回用車輪と、前記第一仮想円若しくは前記第二仮想円のいずれかの同一円周上に着脱自在に配設した二つの着脱式周回用車輪との三つの前記周回用車輪を設けた構成とし、前記第一仮想円と同径のマンホールを切断する際は、二つの前記着脱式周回用車輪を前記第一仮想円の円周上に配設し、前記第二仮想円と同径のマンホールを切断する際は、二つの前記着脱式周回用車輪を前記第二仮想円の円周上に付け替え配設する構成としたことを特徴とする請求項３記載のマンホール切断装置。
【請求項５】
前記共通周回用車輪と前記第一仮想円の円周上に配設した二つの前記着脱式周回用車輪とを結んで形成される第一仮想三角形と、前記共通周回用車輪と前記第二仮想円の円周上に配設した二つの前記着脱式周回用車輪とを結んで形成される第二仮想三角形とが相似関係となるように、前記着脱式周回用車輪を前記作業基体に着脱自在に設けたことを特徴とする請求項４記載のマンホール切断装置。
【請求項６】
前記周回用車輪は、この周回用車輪を切断するマンホールに設置した際に、このマンホールの上部開口部内側面に沿設して前記周回用車輪の脱輪を防止する脱輪防止用フランジ部を設けた構成としたことを特徴とする請求項１〜５のいずれか１項に記載のマンホール切断装置。
【発明の詳細な説明】
【技術分野】
【０００１】
本発明は、マンホールを切断するマンホール切断装置に関するものである。
【背景技術】
【０００２】
路面に埋設されているマンホールの蓋は、経年劣化により表面がすり減ったりクラックや歪みが生じたりした場合、この蓋を新しいものに交換するが、近年のマンホールは様々な安全対策の追加などによって蓋及びこの蓋を嵌める蓋受け枠体の仕様が古いものとは変わっているため、新しい蓋が古い蓋受け枠体に合わず、蓋を交換する際は、蓋受け枠体も一緒に新しいものと交換するケースが多い。
【０００３】
このマンホールの蓋を嵌める蓋受け枠体は、マンホールにボルトで螺着して取り付ける構成のものが多く、取付け時は容易に取り付けることができるが、長い年月の経過によりこの蓋受け枠体とマンホールとを螺着しているボルトが錆びたり劣化したりすることによってボルトが回せない状態となってしまい、容易に取り外すことができず、この蓋受け枠体を取り外す際は、蓋受け枠体を螺着しているマンホールの上部を切断してこのマンホールの上部ごと蓋受け枠体を取り外している。
【０００４】
また、地盤沈下や地震による液状化現象等で路面が下がりマンホールが路面より突出した状態となってしまった場合、この突出したマンホールの長さを適正化して路面を平坦化しなければならないが、この際マンホールの長さの適正化は、路面から突出した分だけマンホールを切り詰める作業が行われ、この作業は、上記の蓋及び蓋受け枠体を交換する作業と略同様、マンホールの上部を切断して長さを調整すると共に古い蓋受け枠体を取り外し、新しい蓋受け枠体と蓋を取り付ける作業が行われる。
【０００５】
このマンホールの上部を切断して蓋受け枠体を取り外す際は、一般的には、先ず、路面切断装置を用いてマンホールの周囲を切断・掘削してマンホールの上部を露出させる作業が行われ、次に、この露出させたマンホールの上部を切断する作業が行われる。
【０００６】
このマンホールの上部の切断作業は、従来、ブレーカーやコンクリートハンマー等を用いてマンホールを削っていたが、この削り作業は振動・騒音・粉塵の発生や作業負荷が大きい等の理由から近年は敬遠されるようになり、これに代わるものとして、マンホール切断装置が提案され、近年は、このマンホール切断装置を用いた切断作業が主流となってきている。
【０００７】
このマンホール切断装置は、切断刃を回転させながらマンホールの内側からマンホールを切り込んでゆき、更に装置を自転させてマンホールの円周に沿って切り進みマンホールを輪切り状に切断するもので、作業時の騒音が小さく安全でしかも短時間で作業を行うことができる。
【０００８】
このマンホール切断装置としては、例えば、特許第３３８０７８９号や特許第４８１９５６３号に示されるようなものが一般的なマンホール切断装置として挙げられる。
【０００９】
これらのマンホール切断装置は、具体的には、車輪を取り付けているフレームを伸縮自在に構成してこの車輪の位置を自在に調整することによって異なる開口径のマンホールに対して設置可能な構成とし、更に、マンホールを切断する切断刃の高さ位置を調整自在に構成すると共に、切断するマンホールの開口部に設置した際に、切断刃がマンホールのホール内に配設されるように構成して、このマンホールのホール内に配設された切断刃でマンホールの内側から切り込み、この切り込んだ切断刃をマンホールの円周方向に沿って移動させてマンホールを輪切り状に切断する構成としている。
【先行技術文献】
【特許文献】
【００１０】
【特許文献１】特許第３３８０７８９号公報
【特許文献２】特許第４８１９５６３号公報
【発明の概要】
【発明が解決しようとする課題】
【００１１】
しかしながら、この特許第３３８０７８９号のマンホール切断装置を使用するには、マンホールの周囲を広範囲に掘削しなくてはならず、そのために、工事範囲が広くなり、工期も長く費用も嵩んでしまう上に、切断刃の高さ調整を行う際に、駆動部ごと昇降させるため、高さ調整機構の構成が複雑で尚且つ強度を要し、それ故に、装置自体も大きくなり作業現場までの装置の運搬や設置作業が大変であった。
【００１２】
また、特許第４８１９５６３号は、上記のものに比べると工事範囲も狭く装置自体も小型化されているが、車輪を切断するマンホールの径に合わせる調整作業や切断刃の高さの位置調整作業に精度が要求され、これらの作業は非常に厄介な作業であった。
【００１３】
更に、この特許第４８１９５６３号は、連結アームを移動させて車輪の位置を調整することで異なる開口径のマンホールに設置可能な構成としているが、この連結アームに設けた二つの車輪の離間間隔は調整できないため、マンホールの開口径が大きくなるほど、装置の重心が館ホール開口部の外周方向に移り、バランスが不安定になってしまう恐れがあった。
【００１４】
本発明は、このような従来装置の問題点を解決し、極めて簡易な構成で切断刃の高さ調整を実現し装置のコンパクト化を図ることができ、しかも、開口径が異なる複数種類のマンホールへの設置の際も容易に且つ確実に車輪を設置することができ、安定した作業を行うことができる実用性に優れたマンホール切断装置を提供することを目的とする。
【課題を解決するための手段】
【００１５】
添付図面を参照して本発明の要旨を説明する。
【００１６】
切断するマンホールＭに設置する複数の周回用車輪１を設けてこのマンホールＭ上で自転する作業基体２に、前記マンホールＭの内側から切り込んでこのマンホールＭの上部を切断する切断刃３とこの切断刃３を回転させる回転伝達機構４と回転駆動部５とから成る切断機構６を水平スライド移動自在に設けたマンホール切断装置であって、運搬用車輪７を設けて移動自在に構成した移動台車８上に、前記切断機構６を設けた前記作業基体２を、持ち上げ分離自在に固定若しくは位置決め載置してこの作業基体２を走行運搬自在に構成し、前記切断機構６の切断刃３の高さ位置を、スペーサー介在部９に介在するスペーサー10の重合枚数の調整若しくは厚みの異なるスペーサー10の交換によって調整自在とするスペーサー変更式切断刃高さ調整機構を備えたことを特徴とするマンホール切断装置に係るものである。
【００１７】
また、前記切断機構６の回転伝達機構４の切断刃取付け回転軸11の下部の切断刃取付け部12に前記スペーサー介在部９を設け、このスペーサー介在部９に前記スペーサー10を着脱自在に設けて、このスペーサー介在部９に介在する前記スペーサー10の重合枚数若しくは厚みの違いにより、この切断刃取付け部12に取り付けた前記切断刃３の高さ位置が可変するように前記スペーサー変更式切断刃高さ調整機構を構成したことを特徴とする請求項１記載のマンホール切断装置に係るものである。
【００１８】
また、切断するマンホールＭに設置する複数の周回用車輪１を設けてこのマンホールＭ上で自転する作業基体２に、前記マンホールＭの内側から切り込んでこのマンホールＭの上部を切断する切断刃３とこの切断刃３を回転させる回転伝達機構４と回転駆動部５とから成る切断機構６を水平スライド移動自在に設けたマンホール切断装置であって、運搬用車輪７を設けて移動自在に構成した移動台車８上に、前記切断機構６を設けた前記作業基体２を、持ち上げ分離自在に固定若しくは位置決め載置してこの作業基体２を走行運搬自在に構成し、前記作業基体２は、この作業基体２中心線上に中心を有する第一仮想円Ｓ１とこの第一仮想円Ｓ１よりも小径で前記中心線に中心を有すると共に前記第一仮想円Ｓ１に内接する第二仮想円Ｓ２との接点に配設した前記周回用車輪１と、前記第一仮想円Ｓ１若しくは前記第二仮想円Ｓ２のいずれかの同一円周上に配設した二つの前記周回用車輪１との少なくとも三つの前記周回用車輪１を設けた構成とし、前記第一仮想円Ｓ１及び前記第二仮想円Ｓ２は、夫々、切断するマンホールＭの上部開口部の開口径と同径に設定したことを特徴とするマンホール切断装置に係るものである。
【００１９】
また、前記作業基体２は、この作業基体２の中心線上に中心を有する第一仮想円Ｓ１とこの第一仮想円Ｓ１よりも小径で前記中心線に中心を有すると共に前記第一仮想円Ｓ１に内接する第二仮想円Ｓ２との接点に配設した共通周回用車輪１Ａと、前記第一仮想円Ｓ１若しくは前記第二仮想円Ｓ２のいずれかの同一円周上に着脱自在に配設した二つの着脱式周回用車輪１Ｂとの三つの前記周回用車輪１を設けた構成とし、前記第一仮想円Ｓ１と同径のマンホールＭを切断する際は、二つの前記着脱式周回用車輪１Ｂを前記第一仮想円Ｓ１の円周上に配設し、前記第二仮想円Ｓ２と同径のマンホールＭを切断する際は、二つの前記着脱式周回用車輪１Ｂを前記第二仮想円Ｓ２の円周上に付け替え配設する構成としたことを特徴とする請求項３記載のマンホール切断装置に係るものである。
【００２０】
また、前記共通周回用車輪１Ａと前記第一仮想円Ｓ１の円周上に配設した二つの前記着脱式周回用車輪１Ｂとを結んで形成される第一仮想三角形Ｔ１と、前記共通周回用車輪１Ａと前記第二仮想円Ｓ２の円周上に配設した二つの前記着脱式周回用車輪１Ｂとを結んで形成される第二仮想三角形Ｔ２とが相似関係となるように、前記着脱式周回用車輪１Ｂを前記作業基体２に着脱自在に設けたことを特徴とする請求項４記載のマンホール切断装置に係るものである。
【００２１】
また、前記周回用車輪１は、この周回用車輪１を切断するマンホールＭに設置した際に、このマンホールＭの上部開口部内側面に沿設して前記周回用車輪１の脱輪を防止する脱輪防止用フランジ部13を設けた構成としたことを特徴とする請求項１〜５のいずれか１項に記載のマンホール切断装置に係るものである。
【発明の効果】
【００２２】
本発明は上述のように構成したから、運搬用車両の駐車場所から作業現場までの装置の移動、或いは一つの作業が終了して次の近くの作業現場までの装置の移動の際に、装置自体を走行させて移動させることができるので、作業者が手で持って長い距離を運搬したり、また、一々運搬用車両に積み込んで移動させなくても容易に装置を移動させることができる実用性に優れたマンホール切断装置となる。
【００２３】
しかも、本発明は、切断刃の高さ位置の調整機構として、スペーサー介在部に介在するスペーサーの重合枚数の調整若しくは厚みの異なるスペーサーの交換によって自在に調整できるスペーサー変更式切断刃高さ調整機構を採用したので、極めて簡易な構成で容易に設計実現可能となると共に、従来装置のように切断刃の高さ位置を調整する際に切断機構ごと移動させるものに比して、この切断刃の高さ位置の調整機構を極めてコンパクトに設計でき、これによって装置全体をコンパクト化することができる実用性に優れた画期的なマンホール切断装置となる。
【００２４】
また、請求項２記載の発明においては、切断機構の切断刃の高さ調整を極めて簡易な構成で容易に実現でき、更に、一層装置のコンパクト化を実現可能とする画期的なマンホール切断装置となる。
【００２５】
また、請求項３記載の発明においては、開口径が異なる複数種類のマンホールに対して本装置一台で対応でき、しかも、この開口径の異なるマンホールに設置する際に、このマンホールの上部開口部に合わせて微妙な車輪の位置調整をすることなく、単に切断するマンホールの上部開口部の開口径に対応した（同径に設定した）第一仮想円若しくは第二仮想円の円周上に配設した車輪をこの切断するマンホールの上部開口部の開口縁（例えば、蓋受け枠の開口縁や管体の開口縁）に設置するだけで、各周回用車輪が確実にこのマンホールの上部開口部の開口縁に設置され、装置を移動させた際に確実に車輪が開口縁に沿って移動するように装置を設置することができ、しかも、作業中に周回用車輪が位置ズレを起こす心配もないので、周回用車輪がこのマンホールの開口縁から脱輪する心配もなく安心して作業を行うことができる実用性に優れたマンホール切断装置となる。
【００２６】
また、請求項４記載の発明においては、作業基体を支持する三つの周回用車輪全てが確実にマンホールに設置するので、周回用車輪の車輪浮きによって作業基体の設置状態にガタツキが生ずることがなく、安定した状態でマンホールを切り進んでゆくことができる一層実用性に優れたマンホール切断装置となる。
【００２７】
また、請求項５記載の発明においては、開口径が異なるマンホールに対して、バランス良く安定して切断機構を設けた作業基体をマンホールに設置することができるので、一層安定性に優れたマンホール切断装置となる。
【００２８】
また、請求項６記載の発明においては、マンホールを切り進んでゆくために装置自体を自転させる際に、周回用車輪がマンホールから脱輪せずに確実にマンホールの円周に沿って自転させることができる構成を極めて簡易に設計実現可能とすることができる一層実用性に優れた構成のマンホール切断装置となる。
【図面の簡単な説明】
【００２９】
【図１】本実施例を示す正面図である。
【図２】本実施例の要部を示す説明図である。
【図３】本実施例の作業基体裏面側を示す説明斜視図である。
【図４】本実施例の使用状態を示す説明斜視図である。
【図５】本実施例の使用状態を示す説明図である。
【図６】本実施例の周回用車輪を示す説明図である。
【図７】本実施例のスペーサー変更式切断刃高さ調整機構を示す分解斜視図である。
【図８】本実施例の切断刃の高さ位置調整した状態を示す説明図である。
【図９】本実施例の移動台車を示す斜視図である。
【図１０】本実施例の切断装置本体を持ち上げ分離した状態を示す説明図である。
【発明を実施するための形態】
【００３０】
好適と考える本発明の実施形態を、図面に基づいて本発明の作用を示して簡単に説明する。
【００３１】
作業基体２に切断機構６を設けた切断装置本体14は、運搬用車輪７を設けて移動自在に構成した移動台車８上に固定若しくは位置決め載置することで路面を走行移動することができるようになるので、切断するマンホールＭの直ぐ傍までこの切断装置本体14を容易に運搬することができ、また、切断するマンホールＭの傍まで走行移動させたこの切断装置本体14を切断するマンホールＭに設置する際は、この切断装置本体14を手で持ち上げて移動台車８から分離し、この切断装置本体14の作業基体２に設けた複数の周回用車輪１を切断するマンホールＭに設置させるだけの極めて容易な作業でこの切断装置本体14を切断するマンホールＭに設置することができる実用性に優れた画期的なマンホール切断装置となる。
【００３２】
また、本発明は、スペーサー変更式切断刃高さ調整機構を設けたので、切断作業に際して、作業基体２に設けた切断機構６の切断刃３の高さ位置を調整する場合は、このスペーサー変更式切断刃高さ調整機構のスペーサー介在部９に介在するスペーサー10を抜き取って重合枚数を少なくするか、若しくは厚みの薄いスペーサー10に交換することで切断刃３の高さ位置を上方側に位置するように調整することができ、また、スペーサー介在部９に介在するスペーサー10の枚数を追加して重合枚数を多くするか、若しくは厚みの厚いスペーサー10に交換することで切断刃３の高さ位置を下方側に位置するように調整することができる。
【００３３】
即ち、本発明は、切断機構６の切断刃３の高さ位置を調整する際、切断機構６全体の位置を移動させて切断刃３の高さ位置を調整するのではなく、切断刃３だけを移動させて高さ位置を調整する構成とし、しかも、この切断刃３の高さ位置調整をスペーサー介在部９に介在するスペーサー10の重合枚数の調整若しくは厚みの異なるスペーサー10の交換によって自在に調整できる極めて簡易な構成としたので、このスペーサー変更式切断刃高さ調整機構を極めてコンパクトに設計でき、これによって、装置全体をコンパクト化することができる画期的なマンホール切断装置となる。
【００３４】
また、請求項３記載の発明については、切断するマンホールＭに切断装置本体14を設置する際、従来のように切断するマンホールＭの上部開口部の開口径に合わせて連結アームを移動させて車輪の位置を調整する必要が無く、この切断するマンホールＭに設置する周回用車輪１を、予めこの切断するマンホールＭの上部開口部の開口径と同じ径に設定した円周上に配置するように作業基体２に配設したので、この開口径と同じ径に設定した円周上に配置した少なくとも三つの周回用車輪１をこの切断するマンホールＭの上部開口部の開口縁に設置するだけの極めて簡易な作業で切断装置本体14を設置することができる実用性に優れた画期的なマンホール切断装置となる。
【００３５】
更に、本発明の周回用車輪１は、予めマンホールＭの上部開口部の開口径の規格と同径の第一仮想円Ｓ１若しくは第二仮想円Ｓ２の円周上に配設されているので、位置ズレすることなく確実に切断するマンホールＭの開口部の開口縁に接地するので、移動時に前記開口縁から脱輪することも無く極めて簡易に設置することができ且つ安定した作業を行うことができ、しかも、上部開口部の開口径が異なる少なくとも二種類のマンホールＭに対応可能な構成を極めて簡易な構成としたので、容易に装置のコンパクト化を実現することができる画期的なマンホール切断装置となる。
【実施例】
【００３６】
本発明の具体的な実施例について図面に基づいて説明する。
【００３７】
本実施例は、図１に示すように、切断するマンホールＭに設置する複数の周回用車輪１を設けてこのマンホールＭ上で自転する作業基体２に、前記マンホールＭの内側から切り込んでこのマンホールＭの上部を切断する切断刃３とこの切断刃３を回転させる回転伝達機構４と回転駆動部５とから成る切断機構６を水平スライド移動自在に設けた切断装置本体14と、運搬用車輪７を設けて移動自在に構成した移動台車８とから成り、前記切断装置本体14をこの移動台車８上に持ち上げ分離自在に固定若しくは位置決め載置してこの切断装置本体14を走行運搬自在に構成したマンホール切断装置である。
【００３８】
本実施例の切断装置本体14について具体的に説明すると、作業基体２は、対向状態に配設した一対の横杆間に二本の縦杆を架設して方形状に形成した下部フレーム２Ａに、コ字状に形成した一対の側方フレーム２Ｂを、開口部を下方に向けて対向状態に立設し、この対向する側方フレーム２Ｂ間に複数の連結杆２Ｃを架設して略直方体を呈する形状に形成した構成としている。
【００３９】
また、本実施例の作業基体２は、作業者がこの切断装置本体14を手で持ち上げる際に把持する把持部15を側方フレーム２Ｂの高さ方向中段付近に前側及び後側に向けて突設し、更に、切断装置本体14を自転させる際の操作ハンドル部16をこの作業基体２の上部側に長さ調整自在に設けた構成としている。
【００４０】
このように、把持部15と操作ハンドル部16とを別々の高さ位置に設けることによって、持ち上げ作業及び切断作業夫々を最適な姿勢で行うことができるように構成している。
【００４１】
また、この作業基体２は、切断するマンホールＭの上部開口部、具体的には、マンホールＭの蓋受け枠体17の開口縁に設置する複数の周回用車輪１を設けた構成としており、本実施例では、具体的には、マンホールに設置した際に車輪浮きなどが発生せず全ての周回用車輪１が安定して設置するよう、作業基体２に設ける周回用車輪１の数を三つに設定している。
【００４２】
この作業基体２に設けた三つの周回用車輪１は、作業基体２の下部フレーム２Ａに設けた構成とし、具体的には、図２に示すように、この下部フレーム２Ａの中心線上に中心を有する第一仮想円Ｓ１の円周上若しくはこの第一仮想円Ｓ１よりも小径で前記第一仮想円Ｓ１同様、この下部フレーム２Ａの中心線上に中心を有すると共に前記第一仮想円Ｓ１に内接する第二仮想円Ｓ２の円周上に配設した構成としている。
【００４３】
尚、第一仮想円Ｓ１及び第二仮想円Ｓ２は、夫々、切断するマンホールＭの上部開口部の開口径と同径に設定しており、本実施例においては、第一仮想円Ｓ１は直径９００ｍｍの円、第二仮想円Ｓ２は直径６００ｍｍの円に設定している。
【００４４】
即ち、本実施例の切断装置本体14は、マンホールＭとしては一般的である開口径９００ｍｍのマンホールＭと６００ｍｍマンホールＭの二種類の大きさのマンホールＭに設置することが可能な構成としている。
【００４５】
より具体的には、この三つの周回用車輪１のうちの一つを共通周回用車輪１Ａとして、第一仮想円Ｓ１とこの第一仮想円Ｓ１に内接する第二仮想円Ｓ２との接点に配設し、残りの二つを第一仮想円Ｓ１若しくは第二仮想円Ｓ２のいずれかの同一円周上に配設した構成とし、本実施例では、この第一仮想円Ｓ１と第二仮想円Ｓ２との接点以外の第一仮想円Ｓ１若しくは第二仮想円Ｓ２の円周上に配設する周回用車輪１を着脱式周回用車輪１Ｂとして作業基体２に対して着脱自在に設けた構成とし、切断するマンホールＭの開口径が第一仮想円Ｓ１と同径の場合は、この二つの周回用車輪１が作業基体２の第一仮想円Ｓ１の円周上に配設し、切断するマンホールＭの開口径が第二仮想円Ｓ２と同径の場合は、第一仮想円Ｓ１の円周上に配設した周回用車輪１を取り外して第二仮想円Ｓ２の円周上に配設し直す付け替え自在な構成としている。
【００４６】
本実施例では、この着脱式周回用車輪取付け部18Ｂに着脱式周回用車輪1Ｂを取り付ける際、ボルトによって螺着する構成とし、極めて容易に着脱可能な構成としている。
【００４７】
更に詳細に説明すると、図２及び図３に示すように、作業基体２の下部フレーム２Ａの対向する一対の横杆の一方の中央に、第一仮想円Ｓ１と第二仮想円Ｓ２との接点に配設される共通周回用車輪１Ａを取り付ける共通周回用車輪取付け部18Ａを設け、この共通周回用車輪取付け部18Ａを設けた下部フレーム２Ａの横杆と対向するもう一方の横杆の両端部に、第一仮想円Ｓ１の円周上に配設される着脱式周回用車輪１Ｂを取り付ける着脱式周回用車輪取付け部18Ｂを設け、また、下部フレーム２Ａの対向する一対の縦杆の夫々に、第二仮想円Ｓ２の円周上に配設される着脱式周回用車輪１Ｂを取り付ける着脱式周回用車輪取付け部18Ｂを設けた構成としている。
【００４８】
また、この共通周回用車輪取付け部18Ａ及び下部フレーム２Ａの横杆に設けた各着脱式周回用車輪取付け部18Ｂ並びに下部フレーム２Ａの縦杆に設けた着脱式周回用車輪取付け部18Ｂは、図２に示すように、共通周回用車輪取付け部18Ａ及び下部フレーム２Ａの横杆に設けた各着脱式周回用車輪取付け部18Ｂの夫々に設けた周回用車輪１を結んで形成される二等辺三角形状の第一仮想三角形Ｔ１と、共通周回用車輪取付け部18Ａ及び下部フレーム２Ａの縦杆に設けた各着脱式周回用車輪取付け部18Ｂの夫々に設けた周回用車輪１を結んで形成される二等辺三角形状の第二仮想三角形Ｔ２とが相似関係となるように作業基体２の下部フレーム２Ａに配設した構成としている。
【００４９】
また、この作業基体２の下部フレーム２Ａに設けた各周回用車輪１は、図４及び図５のように切断するマンホールＭの蓋受け枠体17の開口縁に設置した際に、この蓋受け枠体17の開口縁内側面に沿設する脱輪防止用フランジ部13を設けた構成としている。
【００５０】
具体的には、この脱輪防止用フランジ部13は、図６に示すように、周回用車輪１のマンホールＭの蓋受け枠体17の上部端面を転動するローラー状転動部19よりも径大のフランジ状に形成し、ローラー状転動部19の片側面に重合配設した構成としている。
【００５１】
また、このように構成した作業基体２に設ける切断機構６は、前述したようにマンホールＭを切断する切断刃３とこの切断刃３を回転させる回転伝達機構４と回転駆動部５とで構成している。
【００５２】
具体的には、回転駆動部５はエンジンを用いた構成としている。
【００５３】
また、回転伝達機構４は、傘歯車部20と切断刃取付け回転軸11とから成り、この傘歯車部20を介して回転駆動部５の回転軸の軸方向と直交する切断刃取付け回転軸11に、回転駆動部５の回転駆動を伝達する構成としている。
【００５４】
また、この回転伝達機構４の切断刃取付け回転軸11は、図７に示すように、下部側に切断刃３を取り付ける切断刃取付け部12を備え、この切断刃取付け部12にスペーサー介在部９を設け、このスペーサー介在部９にスペーサー10を着脱自在に設けて、このスペーサー介在部９に介在するスペーサー10の重合枚数若しくは厚みの違いにより、この切断刃取付け部12に取り付けた切断刃３の高さ位置が可変するように構成したスペーサー変更式切断刃高さ調整機構を設けた構成としている。
【００５５】
具体的には、切断刃取付け部12は、切断刃３をこの切断刃取付け回転軸11に対して回り止め状態に取り付けるための回り止め部材21とこの回り止め部材21を嵌設する溝部22を設けた構成とし、また、複数のスペーサー10及び切断刃３を配設し得る長さに設定した構成としている。
【００５６】
また、切断刃３は、上面側に切断刃取付け部12に設けた回り止め部材21と係合してこの切断刃３を切断刃取付け回転軸11に対して回り止めする上側挟持固定板28Ａを設け、下面側にこの上側挟持固定板28Ａと対となる下側挟持固定板28Ｂを設けた構成とし、また、この上側挟持固定板28Ａ及び下側挟持固定板28Ｂは、この上側挟持固定板28Ａ、切断刃３、下側挟持固定板28Ｂの夫々に設けた連通孔23を連通状態にして係止ピン24を挿通してこの切断刃３に対して回り止め状態に設けた構成としている。
【００５７】
即ち、本実施例は、切断刃取付け部12に切断刃３を取り付けた際、切断刃３の上面側に設けた上側挟持固定板28Ａが切断刃取付け部12に設けた回り止め部材21と係合することによって、この上側挟持固定板28Ａに対して回り止め状態に設けた切断刃３が切断刃取付け回転軸11に対して回り止め状態に設けられる構成としている。
【００５８】
本実施例のスペーサー変更式切断刃高さ調整機構は、具体的には、切断刃取付け部12に取り付けた切断刃３の上面部と、この切断刃取付け部12に取り付ける切断刃３の上限位置を位置決めする上限位置決め部との間をスペーサー介在部９として、図８（Ａ）に示すように、このスペーサー介在部９に介在するスペーサー10の重合枚数を多くする若しくは厚みの厚いスペーサー10を介在させることによって切断刃３の位置を下方に下げることができ、逆に、図８（Ｂ）に示すように、スペーサー介在部９に介在するスペーサー10の重合枚数を少なくする若しくは厚みの薄いスペーサー10を介在させることによって切断刃３の位置を上方に上げることができ、このスペーサー介在部９にスペーサー10を介在させない状態が切断刃３の位置が最も上側に位置するように構成している。
【００５９】
また、本実施例の切断機構６は、前述したようにこの作業基体２に水平スライド移動自在に設けた構成としており、具体的には、作業基体２の下部フレーム２Ａにこの下部フレーム２Ａの縦杆に沿設状態にスライドレール部25を設け、このスライドレール部25にスライド部26をスライド移動自在に設け、このスライドレール部25にスライド移動自在に設けたスライド部26に切断機構６を設けて、この切断機構６を水平スライド移動自在に設けた構成としている。
【００６０】
また、本実施例のスライド部26は、ネジ機構（具体的には台形ネジ）を用いた移動機構を採用した構成とし、ハンドル部を回動操作することによって、スライド部26が前後方向（作業基体２の下部フレーム２Ａの縦杆の架設方向）に進退移動する構成としている。
【００６１】
尚、図中符号27は、切断作業時に摩擦熱によって発熱する切断刃３を冷却するための冷却水を貯留する冷却水タンク部、符号28は、切断刃３を挟持固定する挟持固定板である。
【００６２】
また、本実施例の作業基体２は、後述する移動台車８上に切断装置本体14を載置する際、この切断装置本体14の前後方向の載置位置を位置決めする前後方向位置決め部29を設けると共に、位置決め載置した切断装置本体14を固定する固定ネジ30を螺着する螺着部31を設けた構成としている。
【００６３】
具体的には、図３に示すように、前後方向位置決め部29は、誘導傾斜部を有するく字状に形成した構成とし、作業基体２の下部フレーム２Ａの下面に突設した構成としている。
【００６４】
また、本実施例の移動台車８について具体的に説明すると、本実施例の移動台車８は、運搬用車輪７を設けて移動自在に構成している。
【００６５】
具体的には、図９に示すように、移動台車８は、方形状に形成した基体フレーム８Ａに一対の支持フレーム８Ｂを対向状態に立設して上方を開口したコ字状に形成した構成とし、基体フレーム８Ａの各角部に運搬用車輪７を設けた構成としている。
【００６６】
また、本実施例の移動台車８は、切断装置本体14を載置する際、この切断装置本体14の左右方向の載置位置を位置決めする左右方向位置決め部32を設けると共に、位置決め載置した切断装置本体14を固定する固定ネジ30を設けた構成としている。
【００６７】
具体的には、左右方向位置決め部32は、前述した作業基体２に設けた前後方向位置決め部29と同様、誘導傾斜部を有するく字状に形成した構成とし、この前後方向位置決め部29と直交する方向に向けて支持フレーム８Ｂの上杆部上面に突設した構成とし、また、固定ネジ30は、この左右方向位置決め部32を設けた支持フレーム８Ｂの上杆部側面に設けた固定ネジ保持部33に抜け止め状態に設けた構成としている。
【００６８】
本実施例は、以上のように構成したので、以下のような作用・効果を発揮する。
【００６９】
本実施例の切断装置本体14は、運搬用車輪７を設けて移動自在に構成した移動台車８上に載置し固定することで路面を走行移動することができるようになるので、切断するマンホールＭの直ぐ傍までこの切断装置本体14を容易に運搬することができる。
【００７０】
しかも、切断装置本体14を移動台車８に載置する際、作業基体２に設けた前後方向位置決め部29及び移動台車８に設けた左右方向位置決め部32によって容易に位置決めされ、この位置決めされることで切断装置本体14を移動台車８に固定する際、一々固定ネジ25とこの固定ネジ30を螺着する螺着部31との位置合わせをしなくても容易に螺着し切断装置本体14を移動台車８に固定することができる実用性に優れたマンホール切断装置となる。
【００７１】
また、切断するマンホールＭの傍まで走行移動させたこの切断装置本体14を切断するマンホールＭに設置する際は、図１０に示すように、作業基体２に設けた把持部15を把持することでこの切断装置本体14を適正な体勢で持ち上げることができ、この把持部15を把持して移動台車８から持ち上げ分離した切断装置本体14の作業基体２に設けた三つの周回用車輪１を、切断するマンホールＭの蓋受け枠体17の開口縁に設置させるだけの極めて容易な作業でこの切断装置本体14を切断するマンホールＭに設置する作業が完了する。
【００７２】
この際、周回用車輪１は、予め切断するマンホールＭの開口径と同径の第一仮想円Ｓ１若しくは第二仮想円Ｓ２の円周上に配置するように所定の共通周回用車輪取付け部18Ａ及び着脱式周回用車輪取付け部18Ｂに取り付けてあるので、作業現場において一々調整を行うことも無く、また、開口径の異なるマンホールＭの切断作業を続けて行うような場合でも、僅か二つの着脱式周回用車輪１Ｂを付け替えるだけの極めて容易な作業で切断するマンホールＭに設置可能な状態にすることができる。
【００７３】
しかも、本実施例の周回用車輪１は、共通周回用車輪取付け部18Ａ及び着脱式周回用車輪取付け部18Ｂに各周回用車輪１を取り付けることで切断するマンホールＭの蓋受け枠体17の開口径の規格と同径の第一仮想円Ｓ１若しくは第二仮想円Ｓ２の円周上に配設されることとなるので、位置合わせミスによる車輪の位置ズレ等を生じることなく確実に切断するマンホールＭの蓋受け枠体17の開口縁に周回用車輪１を設置することができ、更に、作業中も周回用車輪１の位置ズレが生ずることも無いので、切断装置本体14を自転させてマンホールＭを切り進んでゆく際も、周回用車輪１が蓋受け枠体17の開口縁から脱輪することも無く安定して作業を行うことができる実用性に優れたマンホール切断装置となる。
【００７４】
また、本実施例は、切断刃３を取り付ける切断刃取付け回転軸11の切断刃取付け部12に、切断刃３の高さ位置を調整可能とするスペーサー変更式切断刃高さ調整機構を設けたので、切断作業に際して、切断刃３を切断位置に合うように容易に高さ調整することができ、具体的には、切断刃３の高さ位置調整は、このスペーサー変更式切断刃高さ調整機構のスペーサー介在部９に介在するスペーサー10を抜き取って重合枚数を少なくすることで切断刃３の高さ位置を上方側に位置するように調整することができ、また、スペーサー介在部９に介在するスペーサー10の枚数を追加して重合枚数を多くすることで切断刃３の高さ位置を下方側に位置するように調整することができる。
【００７５】
即ち、本実施例は、切断機構６の切断刃３の高さ位置を調整する際、切断機構６全体の位置を移動させて切断刃３の高さ位置を調整するのではなく、切断刃３だけを移動させて高さ位置を調整する構成とし、しかも、この切断刃３の高さ位置調整をスペーサー介在部９に介在するスペーサー10の重合枚数の調整によって自在に調整できる極めて簡易な構成としたので、このスペーサー変更式切断刃高さ調整機構を極めてコンパクトに設計でき、これによって、装置全体をコンパクト化することができる画期的なマンホール切断装置となる。
【００７６】
尚、本発明は、本実施例に限られるものではなく、各構成要件の具体的構成は適宜設計し得るものである。
【符号の説明】
【００７７】
１  周回用車輪
１Ａ  共通周回用車輪
１Ｂ  着脱式周回用車輪
２  作業基体
３  切断刃
４  回転伝達機構
５  回転駆動部
６  切断機構
７  運搬用車輪
８  移動台車
９  スペーサー介在部
10  スペーサー
11  切断刃取付け回転軸
12  切断刃取付け部
13  脱輪防止用フランジ部
Ｍ  マンホール
Ｓ１  第一仮想円
Ｓ２  第二仮想円
Ｔ１  第一仮想三角形
Ｔ２  第二仮想三角形
【図１】
2014034798.tif 000003
【図２】
2014034798.tif 000004
【図３】
2014034798.tif 000005
【図４】
2014034798.tif 000006
【図５】
2014034798.tif 000007
【図６】
2014034798.tif 000008
【図７】
2014034798.tif 000009
【図８】
2014034798.tif 000010
【図９】
2014034798.tif 000011
【図１０】
2014034798.tif 000012